(57)【要約】【課題】本体とレンズユニットとを着脱自在に形成した撮像装置において、マウントバリアの改善を図ると共に、接続端子の信頼性も兼ね備えたマウントバリア装置を提供する。【解決手段】カメラマウントを塞ぐバリア３０を複数のバリア３１に分割し、レンズユニットの着脱に対応して、バリア３１が後方に移動すると共に、放射方向に移動して中央部が開口する案内溝３４を設けた。また、バリア３０の背面側に接続端子１００を設けた。【選択図】        図１
2005275284.tif 000002
【特許請求の範囲】
【請求項１】
本体とレンズユニットとを着脱自在に形成した撮像装置において、マウントを塞ぎレンズユニットと本体との接続端子を覆うバリアを設け、該バリアは複数ピースから成り、レンズユニットの着脱に対応して前記複数ピースから成るバリアが開閉する機構を備えたことを特徴とするマウントバリア装置。
【請求項２】
前記複数ピースがバリア中心に集まる形状に分割された分割部から成り、前記開閉する機構は各分割部が放射方向に移動する機構であることを特徴とする請求項１記載のマウントバリア装置。
【請求項３】
前記複数ピースが、マウントを塞ぎ中心に開口を備えた板体と、該板体の面に沿って移動し前記開口を開閉する蓋板とから成り、前記開閉する機構は蓋板がスライド移動する機構であることを特徴とする請求項１記載のマウントバリア装置。
【請求項４】
前記バリアを開口させる機構を、バリアの開き始めはバリアを開く力が大きくなるように設定した機構としたことを特徴とする請求項１〜３の何れかに記載のマウントバリア装置。
【請求項５】
バリアに係止しバリアが開口するのを防止する係止ピンと、レンズマウント部に設けられレンズユニット装着時に前記係止ピンを押圧してバリアとの係止を解除する突起とを備えたことを特徴とする請求項１〜３の何れかに記載のマウントバリア装置。
【請求項６】
本体側の接続端子を光軸と一致する中心位置およびその周囲に配置したことを特徴とする請求項１記載のマウントバリア装置。
【請求項７】
光軸中心に配設した接続端子をグランド用端子としたことを特徴とする請求項６記載のマウントバリア装置。
【請求項８】
光軸中心にある接続端子を結合の最初に接触する端子としたことを特徴とする請求項６又は７記載のマウントバリア装置。
【請求項９】
光軸中心にある接続端子に隣接する接続端子を電源用端子としたことを特徴とする請求項６〜８の何れかに記載のマウントバリア装置。
【請求項１０】
電源端子の外周側に信号用端子を配設したことを特徴とする請求項９記載のマウントバリア装置。
【請求項１１】
光軸中心にある接続端子を同軸構造としたことを特徴とする請求項６〜１０の何れかに記載のマウントバリア装置。
【発明の詳細な説明】
【技術分野】
【０００１】
本発明は、本体とレンズユニットとを着脱自在に形成した撮像装置におけるレンズユニットと本体との接合部のカメラマウント側に、ごみ等の進入を防止するバリアを設けたマウントバリア装置に関する。
【背景技術】
【０００２】
本体とレンズユニットとを着脱自在に形成した撮像装置では、レンズユニット装着部にゴミ等が侵入付着するのを確実に防止することが必要である。
【０００３】
本体とレンズユニットとを着脱自在に形成した撮像装置に遮蔽部材（バリア）を設けてカメラ本体の電気的な接続端子等を保護すると共に、レンズユニット装着時にバリアが退避するようにした技術がある（例えば、特許文献１参照。）。
【０００４】
この技術は筐体内にレンズ光学系が収納される接続端子を備えたプラグインユニットと、このプラグインユニットと電気的に接続する手段を備えたカメラ本体とから構成され、プラグインユニットの着脱動作に連動して遮蔽部材が開閉するようにした技術である。この技術は、レンズ挿入口に防塵用の扉を設け、レンズユニットの着脱により扉が開閉し、防塵対応しているが、レンズユニットの固定が着脱方向の移動のみによるので、レンズユニットの側部と本体の挿入壁間に遊隙があり、固定が確実でないという構造であった。
【０００５】
また、特に、撮像素子が内蔵されたレンズ交換式カメラにおいて、交換レンズに設けた雄接続端子と接続可能な雌接続端子をカメラ本体に備えると共に、雄接続端子の増設等に対応できる空間を備えた技術が開示されている（例えば、特許文献２参照。）。
【０００６】
この技術では合理的なデジタルカメラのマウント接合部が示されているが、接続端子の防塵に対応していない。
【０００７】
また、交換レンズをカメラ本体のマウントに回動して結合するようにしたユニットにおいて、コイン等の金属片により短絡を生じないように、カメラ本体単体のときに露出している接続端子に段差を設けて、短絡等のおそれを防止するようにした技術がある（例えば、特許文献３参照。）。
【０００８】
この技術は接続端子をごみ等から保護することについて記載がない。
【０００９】
また交換レンズ側の複数の接触子をレンズ光軸に垂直な平面内の同一円周上に設けると共に、これに対向するカメラ本体側の接触子のうち、電源用の接触子は交換レンズの装着動作の終期においてのみ交換レンズ側の接触子と接触導通して電源ラインを形成するように電源用接触子を配置した技術がある（例えば、特許文献４参照。）。
この技術では、マウントの防塵対応がなされていない。
【特許文献１】特開２０００−１８４２５４号公報
【特許文献２】特開２００３−２１５６８９号公報
【特許文献３】特公平７−３４０９４号公報
【特許文献４】特公平４−１１８５０号公報
【発明の開示】
【発明が解決しようとする課題】
【００１０】
従来提案されているカメラシステムは、カメラ本体の接続部に対応する接続端子の保護がなされていないので、金属片などの接触によるセットの破壊を招きやすく、塵やゴミなどによる接触不良を起こしやすいという欠点がある。
【００１１】
本発明はこのような事情に鑑みて、本体とレンズユニットとを着脱自在に形成した撮像装置のマウントバリア装置の改善を図るもので、レンズユニット及びカメラ本体の接続部を保護し、動作不良や装置の破壊を未然に防止することができ、マウントヘの防塵機能を持ちながら、デザイン的にまとまっており、レンズ保持強度が大きく、電気的接続部の信頼性も兼ね備えたマウントバリア装置を提供することを目的とする。
【課題を解決するための手段】
【００１２】
本発明は、上記問題点を解決するためになされたもので、次の技術手段を講じたことを特徴とするマウントバリア装置である。すなわち、本発明は、本体とレンズユニットとを着脱自在に形成した撮像装置において、マウントを塞ぎレンズユニットと本体との接続端子を覆うバリアを設け、該バリアは複数ピースから成り、レンズユニットの着脱に対応して前記複数ピースから成るバリアが開閉する機構を備えたことを特徴とするマウントバリア装置である。
【００１３】
本発明は、レンズユニットを装着するときに、例えば、バリアが接眼側に後退しながら、開口して接続端子を露出させるようにしたバリアを設けたものである。
【００１４】
この装置において、前記複数ピースがバリア中心に集まる形状に分割された分割部から成り、前記開閉する機構は各分割部が放射方向に移動する機構とすると好ましい。放射方向に移動とは、各分割されたバリアが半径方向外側に直線的に又は螺旋的に移動することを云う。例えば２分割されたバリアでは、上下又は左右、又は任意の半径方向外側に移動することであり、３以上分割されたバリアはそれぞれ、半径方向外側に向かって移動するものである。
【００１５】
前記バリアを開閉する別の機構としては、前記複数ピースが、マウントを塞ぎ中心に開口を備えた板体と、該板体の面に沿って移動し前記開口を開閉する蓋板とから構成され、前記開閉する機構は蓋板がスライド移動する機構としてもよい。この場合、レンズユニットを装着すると、マウントを塞ぎ中心に開口を有する板体と蓋板とから成るバリアが一体で接眼側に後退し、この後退に伴って蓋体が板体面に沿って移動し、板体の中心の開口が開口し、接続端子部を露出させる。
【００１６】
また、前記バリアを開口させる機構を、バリアの開き始めはバリアを開く力が大きくなるように設定した機構とすることによって、バリアが何らかの予期しない外力によって不用意に開くのを防止する。このようなバリア開放初期のバリアを開く力を大きく設定する手段としては、例えばバリアを開く力を加えたときのバリア開方向の分力が小さくなるように力の伝達機構を形成するとよい。
【００１７】
また、バリアが不用意に開放するのを防止する別の手段としてバリアに係止しバリアが開口するのを防止する係止ピンと、レンズマウント部に設けられレンズ装着時に前記係止ピンを押圧してバリアとの係止を解除する突起とを設けたとすればよい。この係止ピンによってバリアロックを形成し、レンズマウントに設けた突起によりこのバリアロックを解除するようにすると、レンズユニットの装着のときのみバリアの開放を行うことができ、それ以外のときはバリアがロックされており好ましい。
【００１８】
次に、本発明のマウントバリア装置におけるレンズユニットとカメラ本体との結合については、本体側の接続端子を光軸と一致する中心位置およびその周囲に配置したことを特徴としている。カメラ本体側の端子は、光軸中心を通る直線上及びその周囲に配置し、周囲に配設した接続端子の配列は規制されない。
【００１９】
この場合に、光軸中心に配設した接続端子を端子結合のときに最初に接触する端子とすると、レンズユニットとカメラ本体の位置決めが正確に行われるので好適である。また、これをグランド端子とすれば、最初にグランドの結合が完了するので、不測の事故による損傷に対して防護される。
【００２０】
光軸中心の接続端子に隣接する接続端子を電源用端子とすれば、電源端子の位置が適切となり、グランドに最も近いので短絡等によるトラブルを防止することができる。さらに電源端子の外周側に信号線を配置すると、多数の信号用端子を的接続に配置することができる。
【００２１】
なお、上記光軸中心の接続端子を同軸構造とすると、結合が確実で信頼性の高い接続端子とすることができる。
【発明の効果】
【００２２】
本発明によれば、レンズユニット非装着時のゴミ防止することができ、レンズ装着により自動的にバリアを開くと共に結合時の誤動作を防止し、また携行時に不用意にバリアが開くことを防止することができる。さらに光軸中心端子を同軸構造とすることによりインピーダンスの安定化を図ることができる。
【００２３】
本発明のカメラシステムはレンズユニットとカメラ本体の接続端子部分に防塵機構、すなわちバリア及びその開閉機構を有しており、レンズユニット非装着時には、バリアが閉じて接続端子の前面を覆う。これにより、接続端子の防塵が図られ、接続端子の接触不良等を防止することができるとともに、不測の衝撃等によって接続端子が破壊するのを未然に防止することができる。
【００２４】
以上説明したように、本発明に係るカメラシステムによれば、レンズユニットとカメラ本体との接続端子に保護用のバリアとその開閉機構を設けたので、接続端子部分を破壊から守り、接触不良を防止することができる。
【発明を実施するための最良の形態】
【００２５】
本発明は本体とレンズユニットとを着脱自在に形成したレンズ交換型カメラ等に適用されるマウントバリア装置である。本発明はカメラ側のマウントを塞ぐと共にレンズユニットと本体との電気的な接続端子を覆うバリアを設ける。そして、このバリアは、複数のピースから構成されており、レンズユニットの着脱動作に対応して開閉するようになっている。レンズユニットの着脱動作に対応してとは、機械的に動作がリンクされている連動動作に限らず、レンズユニットがバリアを押すことによってバリアが開き、レンズユニットが取去られたとき、ばね等によりバリアが閉じるような態様を含むものである。
【００２６】
以下図面を参照して本発明の実施の形態を説明する。
【００２７】
図１は本発明の実施例のマウントバリア装置１０を示すカメラ本体のレンズユニット取付部に配設されるものの分解斜視図である。
【００２８】
ここでは、カメラ本体、レンズユニット等の図示は省略されている。このマウントバリア装置１０は、カメラマウント２０、バリア装置３０から成り、背後に電気的な接続端子１００を備えている。バリア装置３０は上下に分割したバリア３１を備え、分割したバリア３１は側部にピン３２が突設され、このピン３２は側板３３に設けた溝３４に係合されている。溝３４は溝カムを形成する溝であって、バリア３１が後退するとき、この溝３４に係合されたピン３２を案内して上下のバリア３１をそれぞれ上下方向に移動させる。
【００２９】
図１に示す溝３４は『ハ』の字状をなしており、後端側（カメラ本体側）が開いた形状をしており、バリア３１が後方に移動すると上下の分割したバリア３１が上下方向に離れてその間が開口する。バリア３１の背面にはばね３５が配設されており、バリア３１を前方に押すように付勢している。
【００３０】
図示しないレンズユニットがバリア３１を後方に押圧すると、付勢ばね３５は縮小し、バリア３１は後方に移動すると共に、上下方向に移動し、分割したバリア３１の相互間が開口する。図１ではピン３２は１つの溝３４内に２本ずつ係合するように設けられており、溝３４の溝カム形状は少し湾曲しているのでバリア３１は俯仰方向に回転しながら移動するようになっている。
【００３１】
マウントバリア装置１０の背面側に電気接続端子１００があり、レンズユニットはバリア３１を開いた後、接点１００と結合し、レンズユニットとカメラ本体との間の電源供給や信号等の往復が可能となる。
【００３２】
図２は本発明の別の実施例のマウントバリア装置１０の分解斜視図である。バリア装置４０は中心開口４２を備えた板体４１と、この板体４１の背面に沿って昇降する蓋板４３と、これらを組み立てる背面板４８とから構成されている。板体４１は、カメラマウントの開口全面を覆う板体で、光軸方向前後方向にのみ移動する。その中心部には開口４２が設けられている。蓋板４３はこの板体４１の面に沿って移動し、開口４２を開閉する。板体４１と蓋板４３は背面板４８によって一体に組立てられており、蓋板４３は側部に突起４４を備え、この突起４４は側板４５の溝４７に係合している。レンズユニットを装着すると、溝４７は蓋板４３を案内して蓋板４３を上方に移動させる。
【００３３】
図３はバリア装置４０の板体４１、蓋板４３、背面板４８とを組み立てた状態のバリア閉の状態を示す縦断面図である。板体４１の中心の開口４２は蓋板４３が背面から閉止している。図２において、図示しないレンズユニットをカメラに装着するとき、レンズユニットがカメラマウント２０に係合され、板体４１を後方に押す。このとき板体４１は後方に後退する。板体４１に組合っている蓋板４３の突起４４は側板４５の溝４７に係合しており、板体４１の後退に伴って蓋板４３は上方に移動する。このとき背面板４８に設けたピン４９は蓋板４３の縦長孔４５に係合しており、蓋板４３は溝カムを形成する溝４７と縦長孔４５とに誘導されて上昇する。この上昇に伴って、板体４１の中心の開口４２が開口する。
【００３４】
図４は図１に示す実施例において、側板３３に設けられた溝３４の溝カムの形状が異なる例を示したものである。参照番号は図１と同様である。
【００３５】
図５に図４の側板３３の側面図を示した。側板３３の板面にはバリア３１の側方の２本のピン３２がそれぞれ係合する２本の溝３４が設けられている。この溝３４はピン３２を案内してバリア３１を放射方向（半径方向外向き）に移動させる作用をなす。溝３４はハの字状をなしているが、その先端部３７は急勾配になっている。この急勾配の先端部３７の部分では、バリア３１をレンズユニットが押すときに、押し力のバリア開方向への分力が大きくなり、またピン３２と溝３４との摩擦も大となるので大きな押し力でなければバリアが半径方向に移動しない。従って、溝３４の先端部３７はバリア３１の移動運動の初期移動を制約する。このため、閉止しているバリア３１は不測の外力によって移動することが妨げられ、安定的に静止状態を保つことができる。
【００３６】
図６は光学的に透明なバリア５１を示すもので、ばね５２によってカメラマウント２０に密着する方向に付勢されている例を示したものである。
【００３７】
図７にバリア５１がカメラマウント２０に密着した状態の断面図を示した。この例ではバリア５１を係止する係止金物２１がカメラマウント２０に取付けられている。この係止金物２１の係止部２２とバリア５１との係止は係止金物２１の頭を押すことによって解放される。図示しないレンズユニットにこの係止金物２１の頭を押す部分を設けておくとよい。
【００３８】
次に、レンズユニットと係合する本発明のカメラ本体側の接続端子について説明する。
【００３９】
本発明の接続端子は、バリア装置の背後に配設されている。
【００４０】
図８はこの接続端子１００の一例を示すもので、レンズユニット１１０の光軸１２０の後方側に位置し、光軸と一致する中心位置に中央の端子１０１を設け、その周囲に他の端子を配設している。図８では、横一列に直線状に端子１０１，１０２，１０３が配設された例を示しているが、中央の端子１０１の周囲に他の端子が配設されていればよく、その配列形状は問わない。
【００４１】
光軸中心に配設した接続端子１０１をグランド用端子とすると好ましく、また、光軸中心にある接続端子１０１が結合の最初に接触する端子とすると、接続部の位置決めが常に安定的になされるので好適である。また、光軸中心にある中央の端子１０１に隣接する接続端子１０２を電源用端子とすれば、短絡事故等を容易に防止することができる。この電源端子の外周側に信号用端子１０３を配設すればよい。
【００４２】
図９は、光軸中心にある端子１０１を同軸構造の端子１０１ａ，1０１ｂとし、ケーブル１１１を同軸ケーブルとした例を示している。このケーブル１１１は、芯線１１１ａと、その芯線を覆う芯線被覆１１１ｂと、芯線被覆を取り巻くシールド線１１１ｃと、そのシールド線１１１ｃを取り巻く同軸ケーブル被覆１１１ｄとからなる。図９のＡ−Ａ矢視断面の部分図を図１０に示した。同軸構造の接続端子は接続が容易で、誤接続することがなく、確実強固な接続が可能で、インピーダンスも小さいという特徴がある。
【００４３】
本実施形態に係るマウントバリア装置１０によれば、カメラ本体の開口部にバリア３０を設けたので、開口部からカメラ本体内への異物の混入を防ぎ、接続端子の接触不良や装置の破壊を防ぐことができる。レンズユニット非装着時にはバリア３０が閉止することにより、接続端子を保護するので、電気的な接触不良などを生ずるおそれがない。
【図面の簡単な説明】
【００４４】
【図１】本発明の実施例の分解斜視図である。
【図２】本発明の別の実施例のマウントバリアの分解斜視図である。
【図３】図２に示すバリアの縦断面図である。
【図４】別の実施例の分解斜視図である。
【図５】側板の側面図である。
【図６】別の実施例の斜視図である。
【図７】バリアの係止例を示す断面図である。
【図８】接続端子の例を示す斜視図である。
【図９】接続端子の例を示す斜視図である。
【図１０】接続端子の例を示す断面図である。
【符号の説明】
【００４５】
１０    マウントバリア装置
２０    カメラマウント
３０、３１、４０、５１    バリア
３２、４９    ピン
３３、４５    側板
３４、４７    溝
３５    ばね
４１    板体
４２    中心開口
４３    蓋板
４４    突起
４５    縦長孔
４８    背面板
１００    接続端子
１０１    中央の端子
１０２    隣接する端子
１０３    他の端子
１１０    レンズユニット
１１１    中央のケーブル
１１２    その他のケーブル
【図１】
2005275284.tif 000003
【図２】
2005275284.tif 000004
【図３】
2005275284.tif 000005
【図４】
2005275284.tif 000006
【図５】
2005275284.tif 000007
【図６】
2005275284.tif 000008
【図７】
2005275284.tif 000009
【図８】
2005275284.tif 000010
【図９】
2005275284.tif 000011
【図１０】
2005275284.tif 000012